(57)【要約】【課題】ペットボトルを飲むときに自分の口が他人に見られず気にしなくて飲み物を飲めるカバーを提供することにある。【解決手段】本発明のカバーは、飲料容器に着脱自在に取り付け可能な取付け部と、前記取付け部に設けられ、前記飲料容器の飲み口をカバーする羽部とを備えている。【選択図】図１
2018027788.tif 000002
【特許請求の範囲】
【請求項１】
飲料容器に着脱自在に取り付け可能な取付け部と、前記取付け部に設けられ、前記飲料容器の飲み口をカバーする羽部と、を備えたカバー。
【請求項２】
前記羽部が、前記取付け部よりも使用者側へ突出している請求項１に記載のカバー。
【請求項３】
前記取付け部及び又は前記羽部が、シート材を曲げて構成されている請求項１又は請求項２に記載のカバー。
【請求項４】
前記取付け部が、弾性変形することにより前記飲料容器を挟む一対の腕部から成る請求項１〜請求項３のいずれかに記載のカバー。
【請求項５】
前記取付け部が、飲料容器の胴部に被せる環状部材から成る請求項１〜請求項３のいずれかに記載のカバー。
【発明の詳細な説明】
【技術分野】
【０００１】
本発明は主にペットボトル、コップ等の飲料容器の飲み口に被せるカバーである。
【背景技術】
【０００２】
従来のペットボトルのカバーといえば、保温、持ち運びを目的とするものであった(下記特許文献１参照)。
【０００３】
また、女性の方などが会議中ペットボトルをラッパ飲みすることは出来ないので不便である。
【先行技術文献】
【特許文献】
【０００４】
【特許文献１】特開２００７−２２５４２号公報
【発明の概要】
【発明が解決しようとする課題】
【０００５】
本発明は上記の課題に鑑み，その課題を解決すべく、発明されたものであって、その目的とするところは、ペットボトルを飲むときに自分の口が他人に見られず気にしなくて飲み物を飲めるカバーを提供することにある。
【課題を解決するための手段】
【０００６】
本発明に係るカバーは、飲料容器に着脱自在に取り付け可能な取付け部と、前記取付け部に設けられ、前記飲料容器の飲み口をカバーする羽部と、を備えることを特徴とする。
【０００７】
また、本発明に係るカバーは、前記羽部が、前記取付け部よりも使用者側へ突出していることを特徴とする。
【０００８】
また、本発明に係るカバーは、前記取付け部及び又は前記羽部が、シート材を曲げて構成されている。
【０００９】
また、本発明に係るカバーは、前記取付け部が、弾性変形することにより前記飲料容器を挟む一対の腕部から成ることを特徴とする。
【００１０】
また、本発明に係るカバーは、前記取付け部が、飲料容器の胴部に被せる環状部材から成ることを特徴とする。
【発明の効果】
【００１１】
本発明によるカバーは、飲料容器に取り付けるだけで、自分の呑むところが他人に見られず気にすることなく、飲み物が飲むことが出来る。
【００１２】
また、飲料容器の保温、結露防止にも効果がある。
【図面の簡単な説明】
【００１３】
【図１】本発明に係る実施例１のカバーの正面図である。
【図２】本発明に係る実施例１のカバーの平面図である。
【図３】本発明に係る実施例１のカバーの側面図である。
【図４】本発明に係る実施例１のカバーの展開図である。
【図５】本発明に係る実施例１のカバーの取付け部の変形例を示す展開図である。
【図６】本発明に係る実施例２のカバーの正面図である。
【図７】本発明に係る実施例２のカバーの平面図である。
【図８】本発明に係る実施例２のカバーの取付け部の変形例を示す正面図である。
【図９】本発明に係る実施例２のカバーの取付け部の変形例を示す平面図である。
【図１０】本発明に係る実施例３のカバーの正面図である。
【図１１】本発明に係る実施例３のカバーの平面図である。
【発明を実施するための形態】
【００１４】
本発明を実施するための形態を実施例1〜3にもとづいて図面を参照して説明する。
【実施例１】
【００１５】
図１〜３に示すように、実施例1のカバー10は、飲料容器Ａに着脱自在に取り付け可能な取付け部1と、取付け部1に設けられ、飲料容器Ａの飲み口Ｂをカバーする羽部2とを備えている。
【００１６】
本実施例の取付け部1は、環状部材１１から成り、この環状部材１１は、図４に示すように、和紙から成る矩形のシート材１２に左右一対の斜めの切れ目１３・１３を入れて下側に形成した一対の下片１４・１４を飲料容器Ａの胴部に巻くように曲げ、各下片１４に設けられた面ファスナー１５で留めて構成されている。
【００１７】
本実施例の羽部２は、シート材１２の切れ目１３の上側に形成した一対の上片１６・１６から構成されている。
【００１８】
図１に示すように本実施例のカバー１０の取付け部１を飲料容器Ａの胴部に被せるだけで、羽部２で飲料容器Ａの飲み口Ｂを隠す事ができるので、使用者の口元を、他人に見られずに飲める。しかも、図３に示すように、本実施例の羽部２は、取付け部１よりも使用者側へ突出しているので、使用者の口元を側方からも確実に隠す事ができる。
【００１９】
また、本実施例の取付け部１は、飲料容器Ａの胴部全体を覆うことが出来るので、飲料容器Ａの断熱、結露防止の他、飲料容器Ａの銘柄も隠す事が出来る。
【００２０】
なお、本実施例では、一対の下片１４・１４を面ファスナー１５で留めて環状部材１１を構成しているが、図５に示すように、下片１４にそれぞれ設けた突起１７を切り込み１８に差し入れて留めて環状部材１１を構成しても良く、両面テープで留めても良い。またシート材１２の材質は和紙に限定されるものではなく洋紙、発泡スチロール、プラスチック、ゴム等を使用しても良い。
【実施例２】
【００２１】
図６及び図７に示すように、実施例２のカバー２0は、飲料容器Ａに着脱自在に取り付け可能な取付け部３と、取付け部３に設けられ、飲料容器Ａの飲み口Ｂをカバーする羽部４とを備えている。
【００２２】
本実施例の取付け部３は、弾性変形することにより飲料容器Ａの胴部を挟む一対の腕部３１・３１から成り、各腕部３１は合成樹脂材により円弧形状に形成されている。
【００２３】
本実施例の羽部４は、取付け部３の一対の腕部３１・３１と合成樹脂材により一体成形されており、腕部３１よりも大きな径の半円弧形状に形成されている。
【００２４】
図６に示すように本実施例のカバー２０の取付け部３の腕部３１・３１で飲料容器Ａの胴部を挟んで固定するだけで、羽部４で飲料容器Ａの飲み口Ｂを隠す事ができるので、使用者の口元を、他人に見られずに飲める。しかも、図７に示すように、本実施例の羽部４は、取付け部３よりも使用者側へ突出しているので、使用者の口元を側方からも確実に隠す事ができる。
【００２５】
本実施例の取付け部３は、飲料容器Ａの胴部の上側に取り付けているが、胴部のいずれの場所に取り付けても良く、胴部全体に取り付けても良い。
【００２６】
また、図８及び図９に示すように、取付け部３の一対の腕部３１・３１の先端部同士をゴム等の弾性部材３２で繋いでも良い。このことで、一対の腕部３１・３１及び弾性部材３２の弾性を利用することが出来、たとえば飲料容器コップ等にも簡単かつ確実に取り付けることが出来る。
【実施例３】
【００２７】
図１０及び図１１に示すように、実施例３のカバー３０は、飲料容器Ａに着脱自在に取り付け可能な取付け部５と、取付け部５に設けられ、飲料容器Ａの飲み口Ｂをカバーする羽部６とを備えている。
【００２８】
本実施例の取付け部５は、合成樹脂材により円形状に形成された環状部材５１から構成されている。
【００２９】
本実施例の羽部６は、取付け部５の環状部材５１と合成樹脂材により一体成形されており、環状部材５１よりも大きな径の半円弧形状に形成されている。
【００３０】
図１０に示すように、本実施例のカバー３０の取付け部５を飲料容器Ａの胴部に被せるだけで、羽部６で飲料容器Ａの飲み口Ｂを隠す事ができるので、使用者の口元を、他人に見られずに飲める。しかも、図１１に示すように、本実施例の羽部６は、取付け部５よりも使用者側へ突出しているので、使用者の口元を側方からも確実に隠す事ができる。
【００３１】
本実施例の取付け部５は、飲料容器Ａの胴部の上側に取り付けているが、胴部のいずれの場所に取り付けても良く、胴部全体に取り付けても良い。
【００３２】
以上、実施例１〜３に基づいて本発明について説明したが、本発明はこれら実施例に限定されるものではなく、種々の設計変更が可能である。たとえば、本発明のカバーの材質は、紙、、木、竹、合成樹脂、発泡スチロール、ゴムなど、必要に応じて適宜選択することができる。
【符号の説明】
【００３３】
１０、２０、３０  カバー
１、３、５    取付け部
２、４、６    羽部
１２        シート材
３１        腕部
１１、５１  環状部材
A    飲料容器
B    飲み口
【図１】
2018027788.tif 000003
【図２】
2018027788.tif 000004
【図３】
2018027788.tif 000005
【図４】
2018027788.tif 000006
【図５】
2018027788.tif 000007
【図６】
2018027788.tif 000008
【図７】
2018027788.tif 000009
【図８】
2018027788.tif 000010
【図９】
2018027788.tif 000011
【図１０】
2018027788.tif 000012
【図１１】
2018027788.tif 000013